(57)【要約】【課題】表示部を小型化できる表示装置及び携帯電話機を提供すること。【解決手段】本発明の表示装置は、第１の発光素子と前記第１の発光素子とは異なる第２の発光素子とが一の面に所定のピッチで２次元配列された基板と、前記第１の発光素子から出射された第１の光を導く第１の導光路と、前記第１の導光路の第１の光路長よりも長い第２の光路長を有し、前記第２の発光素子から出射された第２の光を導く第２の導光路と、を有する導光部と、前記第１の導光路の一端と連続する第１の光出射穴と、前記第２の導光路の一端と連続し、前記第１の光出射穴とは異なる第２の光出射穴とが、前記所定のピッチよりも狭いピッチで２次元配列され、前記一の面とは平行でない表示面を有する表示部と、前記第１及び、第２の発光素子から出射される光の強度を制御する表示制御部と、を備える。【選択図】図２
2012027276.tif 000002
【特許請求の範囲】
【請求項１】
第１の発光素子と前記第１の発光素子とは異なる第２の発光素子とが一の面に所定のピッチで２次元配列された基板と、
前記第１の発光素子から出射された第１の光を導く第１の導光路と、前記第１の導光路の第１の光路長よりも長い第２の光路長を有し、前記第２の発光素子から出射された第２の光を導く第２の導光路と、を有する導光部と、
前記第１の導光路の一端と連続する第１の光出射穴と、前記第２の導光路の一端と連続し、前記第１の光出射穴とは異なる第２の光出射穴とが、前記所定のピッチよりも狭いピッチで２次元配列され、前記一の面とは平行でない表示面を有する表示部と、
前記第１及び、第２の発光素子から出射される光の強度を制御する表示制御部と、を備える表示装置。
【請求項２】
請求項１に記載の表示装置であって、
前記表示制御部は、前記第１の光の強度と前記第２の光の強度とが前記表示部で等しくなるように、前記第２の光の強度を前記第１の光の強度よりも強く制御することを特徴とする表示装置。
【請求項３】
請求項１又は請求項２に記載の表示装置であって、
前記第１の導光路及び前記第２の導光路が、前記基板の側面付近から、前記第１の発光素子と前記第２の発光素子とが前記所定のピッチで２次元配列された前記基板の一の面よりも下方に延びていることを特徴とする表示装置。
【請求項４】
請求項１〜３のいずれか１項に記載の表示装置であって、
前記第１の発光素子及び前記第２の発光素子は、青色ＬＥＤであり、
前記第１の導光路及び前記第２の導光路は、その一端に黄色蛍光体が塗付されていることを特徴とする表示装置。
【請求項５】
請求項１〜４のいずれか１項に記載の表示装置を備える携帯電話機。
【発明の詳細な説明】
【技術分野】
【０００１】
本発明は、表示装置及び携帯電話機に関する。
【背景技術】
【０００２】
特許文献１では、発光ダイオードを表示用発光素子とし、該発光ダイオードと表示面の間に透明導光体を配置し、該発光ダイオードからの発光光源を該表示面へ導光する表示装置を開示している。
【０００３】
特許文献２では、ＬＥＤを用いた表示装置において、光取り出し面を構成する透光性ガラス板と、ガラス板に垂直に形成された遮光性隔壁と、ＬＥＤを封止する透光性の封止樹脂とを有し、各ＬＥＤが遮光壁により隔離されている表示装置を開示している。
【０００４】
特許文献３では、複数の発光部をマトリクス上に配置し、発光部同士を遮光するように各発光部を包囲する格子部と、前記格子部の前面側に配され遮光性を有するカバー部が配置されている表示装置を開示している。
【先行技術文献】
【特許文献】
【０００５】
【特許文献１】特開平７−１３４５６３号公報
【特許文献２】特開２００８−１２９０４３号公報
【特許文献３】特開２００９−３００８０４号公報
【発明の概要】
【発明が解決しようとする課題】
【０００６】
しかし、上記特許文献１〜３に開示されている表示装置では、ガラス材を用いているので、例えば小型化が進む携帯電話機などの携帯端末に組み込んだとしても、携帯端末自体の厚みが増加することは避けられない。また、ガラス材を用いないＬＥＤを２次元的に配列させたＬＥＤ表示装置を携帯電話機などの携帯端末に組み込むことが考えられるが、基板上にＬＥＤを狭ピッチに並べたとしてもＬＥＤを実装する実装機の限界や、基板スペース、基板上の配線制約により、小型化が難しく、モバイル機器への搭載が困難である。
【０００７】
本発明の目的は、表示部を小型化できる表示装置及び携帯電話機を提供することである。
【課題を解決するための手段】
【０００８】
本発明は、第１の発光素子と前記第１の発光素子とは異なる第２の発光素子とが一の面に所定のピッチで２次元配列された基板と、前記第１の発光素子から出射された第１の光を導く第１の導光路と、前記第１の導光路の第１の光路長よりも長い第２の光路長を有し、前記第２の発光素子から出射された第２の光を導く第２の導光路と、を有する導光部と、前記第１の導光路の一端と連続する第１の光出射穴と、前記第２の導光路の一端と連続し、前記第１の光出射穴とは異なる第２の光出射穴とが、前記所定のピッチよりも狭いピッチで２次元配列され、前記一の面とは平行でない表示面を有する表示部と、前記第１及び、第２の発光素子から出射される光の強度を制御する表示制御部と、を備える表示装置を提供する。
【０００９】
上記表示装置では、前記表示制御部は、前記第１の光の強度と前記第２の光の強度とが前記表示部で等しくなるように、前記第２の光の強度を前記第１の光の強度よりも強く制御する。
【００１０】
上記表示装置では、前記第１の導光路及び前記第２の導光路が、前記基板の側面付近から、前記第１の発光素子と前記第２の発光素子とが前記所定のピッチで２次元配列された前記基板の一の面よりも下方に延びている。
【００１１】
上記表示装置では、前記第１の発光素子及び前記第２の発光素子は、青色ＬＥＤであり、前記第１の導光路及び前記第２の導光路は、その一端に黄色蛍光体が塗付されている。
【００１２】
また、本発明は、上記表示装置を備える携帯電話機を提供する。
【発明の効果】
【００１３】
本発明に係る表示装置及び携帯電話機によれば、表示部を小型化できる。
【図面の簡単な説明】
【００１４】
【図１】表示装置１００を備える携帯電話機２００の全体図
【図２】表示装置１００の斜視図
【図３】表示装置１００を上から見た図
【図４】（ａ）遮光板１１０の側断面図、（ｂ）導光路群Ｐａを説明するための図
【図５】表示装置１００の機能ブロック図
【図６】遮光板１１０Ａの側断面図
【発明を実施するための形態】
【００１５】
以下、本発明の実施形態について、図面を参照して説明する。
【００１６】
本実施の形態として、本発明の表示装置１００を実装した携帯電話機２００について説明する。図１を参照して、携帯電話機２００の構成について説明する。図１は表示装置１００を備える携帯電話機２００の全体図である。携帯電話機２００は、第１筐体２２１と第２筐体２２３と、第１筐体２２１と第２筐体２２３とを回動可能に連結する連結部２２５から構成される。表示装置１００は、第２筐体２２３の一側面２２４にその表示面が設けられ、携帯電話機２００の基板の一部にＬＥＤチップ１２０が実装されている。表示装置１００の構成については後述する。
【００１７】
第１筐体２２１と第２筐体２２３とは、共に略矩形平板の形状の筐体である。第１筐体２２１は、連結部２２５を介して、第２筐体２２３に対して回動可能に構成されている。同様に、第２筐体２２３は、連結部２２５を介して、第１筐体２２１に対して回動可能に構成されている。
【００１８】
第１筐体２２１の主面２２１Ａには、主表示部２１１と通話用のレシーバ２３５とが配置されている。通話用のレシーバ２３５は、図示しない音声処理部により処理された通話相手の音声が出力される。主表示部２１１は、本実施の形態では、例えば、液晶ディスプレイ（Ｌｉｑｕｉｄ  Ｃｒｙｓｔａｌ  Ｄｉｓｐｌａｙ：ＬＣＤ）で構成される。
【００１９】
第２筐体２２３の主面２２３Ａには、キー入力部２２７と通話用のマイク２３３とが配置される。第２筐体２２３の主面２２３Ａは、ユーザがキー入力操作を行う操作面である。キー入力部２２７は、ユーザの入力操作を受け付ける。キー入力部２２７は、複数のキーで構成されている。通話用のマイク２３３は、ユーザの音声が入力される。なお、入力されたユーザの音声は、図示しない音声処理部により処理されて、無線部を介して通話相手の携帯電話機へ送信される。また、第２筐体２２３内部には、携帯電話機２００の各種機能を実現するための回路が実装された基板２４０が設けられている。
【００２０】
連結部２２５は、第１筐体２２１と第２筐体２２３とを回動可能に連結し、回転軸Ｘを中心として、両筐体を相対的に回転させることができる。つまり、第２筐体２２３に対して、回転軸Ｘを中心として、第１筐体２２１を回転させると、両筐体の主面を対向させて折り畳むことができる（閉じ状態）。また、第２筐体２２３に対して回転軸Ｘを中心として第１筐体２２１を回転させると、両筐体の主面を同じ方向に開いて両筐体を展開することができる（開き状態）。
【００２１】
なお、携帯電話機２００の開閉状態は、第１筐体２２１内に設けられた磁石と、第２筐体２２３内で、閉じ状態の時に磁石と対向する位置に設けられた磁気センサとにより検出される。磁石の磁力の変化を磁気センサが検出することで、携帯電話機２００の開閉状態が検出される。
【００２２】
次に、図２〜図４（ｂ）を参照して表示装置１００について説明する。図２は表示装置１００の斜視図であり、図３は表示装置１００を上から見た図であり、図４（ａ）は遮光板１１０の側断面図である。図２に示す表示装置１００は、第２筐体２２３の一側面２２４にその表示面が設けられ、携帯電話機２００の基板２４０の一部にＬＥＤチップ１２０が実装されている。なお、図２〜図４（ｂ）に示す座標系は、互いに略垂直に交わるＸ軸、Ｙ軸、Ｚ軸を持つ共通の直交座標系である。
【００２３】
図３に示すように、表示装置１００は、複数の導光路１１３を備える遮光板１１０と、ＬＥＤアレイ１０９とから構成される。ＬＥＤアレイ１０９は、携帯電話機２００の基板２４０の一面２４０ａに実装された複数のＬＥＤチップ１２０から構成される。以下、複数のＬＥＤチップ１２０が実装された基板２４０の一面２４０ａをＬＥＤチップ実装面２４０ａとも言う。
【００２４】
図３に示すように、ＬＥＤチップ実装面２４０ａには、幅方向（図３中、Ｙ軸方向）及び奥行方向（図３中、Ｘ軸方向）で、間隔ｔ２で等間隔に配列された複数のＬＥＤチップ１２０が設けられている。そして、１５個のＬＥＤチップ１２０が幅方向に等間隔（間隔ｔ２）に配列された発光素子群Ｌａ、Ｌｂ、Ｌｃ、Ｌｄ、Ｌｅが、奥行方向に間隔ｔ２で等間隔で５つ配列されている。以下、遮光板１１０の前面１１１に近い方から順に、発光素子群Ｌａ、発光素子群Ｌｂ、発光素子群Ｌｃ、発光素子群Ｌｄ、発光素子群Ｌｅと称する。ＬＥＤチップ実装面２４０ａは、複数のＬＥＤチップ１２０が２次元配列されている発光面として機能する。
【００２５】
さらに、発光素子群Ｌａは、１５個のＬＥＤチップＬａｎ（ｎ：１〜１５の自然数）で構成される。同様に、各発光素子群Ｌｂ、Ｌｃ、Ｌｄ、Ｌｅは、１５個のＬＥＤチップＬｂｎ、Ｌｃｎ、Ｌｄｎ、Ｌｅｎ（ｎ：１〜１５の自然数）で構成される。なお、図３中、Ｙ軸方向に沿って、自然数ｎは順に１、２、・・・、１５と大きくなる。
【００２６】
図２に示すように、遮光板１１０の一面１１１には、幅方向（図２中、Ｙ軸方向）及び高さ方向（図２中、Ｚ軸方向）で、間隔ｔ１で等間隔に配列された複数の光出射穴１１２が設けられている。そして、１５個の光出射穴１１２が幅方向に等間隔（間隔ｔ１）に配列された光出射穴群Ｇａ、Ｇｂ、Ｇｃ、Ｇｄ、Ｇｅが、高さ方向に間隔ｔ１で等間隔で５つ配列されている。以下、ＬＥＤチップ１２０を実装するＬＥＤ実装面２４０ａに近い方から順に、光出射穴群Ｇａ、光出射穴群Ｇｂ、光出射穴群Ｇｃ、光出射穴群Ｇｄ、光出射穴群Ｇｅと称する。
さらに、光出射穴群Ｇａは、１５個の光出射穴Ｇａｎ（ｎ：１〜１５の自然数）で構成される。同様に、各光出射穴群Ｇｂ、Ｇｃ、Ｇｄ、Ｇｅは、１５個の光出射穴Ｇｂｎ、Ｇｃｎ、Ｇｄｎ、Ｇｅｎ（ｎ：１〜１５の自然数）で構成される。なお、図２中、Ｙ軸方向に沿って、自然数ｎは順に１、２、・・・、１５と大きくなる。
【００２７】
図４（ａ）に示すように、遮光板１１０は、略直方体で、その内部にＬＥＤアレイ１０９から発光される光を、遮光板１１０の一面１１１に設けられた光出射穴１１２まで導く複数の導光路１１３を備える。つまり、遮光板１１０は、導光板としての機能を有する。複数の導光路１１３は、更に、５つの導光路群Ｐａ、Ｐｂ、Ｐｃ、Ｐｄ、Ｐｅで構成される。ＬＥＤチップ１２０を実装するＬＥＤチップ実装面２４０ａに近い方から順に、導光路群Ｐａ、導光路群Ｐｂ、導光路群Ｐｃ、導光路群Ｐｄ、導光路群Ｐｅと称する。
【００２８】
図４（ａ）に示すように、導光路群Ｐａ、Ｐｂ、Ｐｃ、Ｐｄ、Ｐｅは、ＬＥＤチップ実装面２４０ａから遮光板１１０の高さ方向（図中、Ｚ軸方向）に延出し、その後、遮光板１１０の一面１１１に向けて、遮光板１１０の高さ方向から略垂直な方向（図中Ｘ軸方向）に屈曲する。このように導光路群の一部を略垂直な方向に屈曲させることで、ＬＥＤチップ実装面２４０ａ（つまり、複数のＬＥＤチップ１２０の発光面）とは略垂直な方向にある遮光板１１０の一面１１１に複数のＬＥＤチップ１２０の出射面を設けている。
【００２９】
次に、図４（ｂ）を参照して、導光路群Ｐａを例にとって、導光路群Ｐａを構成する１５個の導光路Ｐａｎ（ｎ：１〜１５の自然数）について説明する。なお、図４（ｂ）中、Ｙ軸方向に沿って、自然数ｎは順に１、２、・・・、１５と大きくなる。また、導光路群Ｐｂ、Ｐｃ、Ｐｄ、Ｐｅの構成は、導光路群Ｐａと同じのため、その詳細な説明を省略する。
【００３０】
図４（ｂ）に示すように、導光路群Ｐａは、１５個の導光路Ｐａｎ（ｎ：１〜１５の自然数）で構成される。各導光路Ｐａ１〜Ｐａ１５は、発光素子群Ｌａを構成するＬＥＤチップＬａ１〜Ｌａ１５のそれぞれから出射される光を、光出射穴群Ｇаを構成する光出射穴Ｇａ１〜Ｇａ１５のそれぞれまで導く。例えば、導光路Ｐａ１によって、ＬＥＤチップＬａ１から出射される光Ｒ１が、図４（ｂ）矢印で示すように、導光路Ｐａ１の内面で反射し光出射穴Ｇａ１まで導かれる。
【００３１】
また、図４（ｂ）に示すように、導光路Ｐａ１〜Ｐａ１５のそれぞれは、ＬＥＤチップ実装面２４０ａから遮光板１１０の高さ方向に延出した後、遮光板１１０の高さ方向から略垂直な方向（図４（ｂ）中Ｘ軸方向）に屈曲し、遮光板１１０の一面１１１に向けて延びている。その際、遮光板１１０の端部に近い導光路ほど、遮光板１１０の一面１１１に近づくにつれて、遮光板１１０の一面１１１に向かって屈曲しながら延びている。言い換えると、遮光板１１０において、各ＬＥＤチップＬａ１〜Ｌａ１５のそれぞれの導光路Ｐа１〜Ｐａ１５は、遮光板１１０の一面１１１の中心に向かって絞り込むような形で形成されている。このような構成により、水平方向（図４（ｂ）中、ＸＹ平面）において、複数のＬＥＤチップ１２０の配列ピッチｔ２よりも、光出射穴１１２の配列ピッチｔ１を小さく設定することができる。したがって、ＬＥＤチップ実装面２４０ａよりも、表示部として機能する遮光板１１０の一面１１１を小さくすることができる。
【００３２】
なお、本実施の形態に係る表示装置１００では、各ＬＥＤチップＬａ１〜Ｌａ１５の導光路Ｐа１〜Ｐａ１５を中心方向に絞り込むような形状にしているため、導光路Ｐа１〜Ｐａ１５のそれぞれの光路長も異なっている。詳細は後述するが、本実施の形態に係る表示装置１００では、導光路Ｐа１〜Ｐａ１５のそれぞれの光路長と、各ＬＥＤチップＬａ１〜Ｌａ１５の発光強度との関係に基づき、表示部として機能する遮光板１１０の一面１１１面上の光出射穴Ｇａ１〜Ｇａ１５のそれぞれから出る発光強度が同じになるよう調整される。そのため、本実施の形態に係る遮光板１１０では、携帯電話機２００の基板２４０に複数のＬＥＤチップ１２０を実装可能な間隔（たとえば、間隔ｔ２）よりも狭い間隔（たとえば、間隔ｔ１）で、遮光板１１０の一面１１１に複数の光出射穴１１２を配列させることができる。なお、図４（ａ）では、導光路Ｐａ、Ｐｂ、Ｐｃ、Ｐｄ、Ｐｅの屈曲部分はほぼ直角に曲がっているが、これに限らず、曲率を持たせて湾曲させてもよい。
【００３３】
上述のように、本実施の形態に係る表示装置１００において、携帯電話機２００の基板２４０に複数のＬＥＤチップ１２０を実装可能な間隔（たとえば、間隔ｔ２）よりも狭い間隔（たとえば、間隔ｔ１）で、遮光板１１０の一面１１１に複数の光出射穴１１２を配列させることで、ＬＥＤチップ１２０の発光面であるＬＥＤチップ実装面２４０ａよりも、複数のＬＥＤチップ１２０の出射面（遮光板１１０の一面１１１）を狭くすることができる。そのため、表示装置１００の表示面の小型化を実現することができる。さらには、表示装置１００の表示面の小型化により、携帯電話機２００の第２筐体２２３の一側面２２４に表示装置１００の表示面を設けることができる。
【００３４】
さらに、本実施の形態に係る表示装置１００において、携帯電話機２００の基板２４０に複数のＬＥＤチップ１２０を実装可能な間隔（たとえば、間隔ｔ２）よりも狭い間隔（たとえば、間隔ｔ１）で、遮光板１１０に複数の光出射穴１１２を配列させているので、本実施の形態に係る表示装置１００では、表示装置１００自体の厚み（特に、高さ方向）の増加を避けながら強度を維持しつつ、携帯電話機２００の第２筐体２２３の一側面２２４近傍に、出射面（遮光板１１０の一面１１１）を設けることができる。
【００３５】
例えば、ＬＥＤチップ等の発光素子の発光面と出射面とが平行の場合、基板にＬＥＤチップを実装可能な間隔に限界があるため、出射面での出射穴の間隔をＬＥＤチップの実装間隔よりも狭く設定することはできない。しかしながら、本実施の形態に係る表示装置１００では、導光路の一部を略垂直な方向に屈曲させることで、ＬＥＤチップ実装面２４０ａ（つまり、複数のＬＥＤチップ１２０の発光面）とは略垂直な方向にある遮光板１１０の一面１１１に複数のＬＥＤチップ１２０の出射面を設けて、携帯電話機２００の基板２４０に複数のＬＥＤチップ１２０を実装可能な間隔（たとえば、間隔ｔ２）よりも狭い間隔（たとえば、間隔ｔ１）で、ＬＥＤチップの出射面に光出射穴１１２を配列することができる。
【００３６】
ところで、図４（ｂ）を参照して説明したように、導光群Ｐａを構成する複数の導光路Ｐа１〜Ｐａ１５はそれぞれ異なる光路長を有しているので、ＬＥＤチップＬａ１〜Ｌａ１５のそれぞれから、同じ強度の光を出射してしまうと、ＬＥＤチップＬａ１〜Ｌａ１５から出射される光が外部に出射される、遮光板１１０の一面１１１（すなわち、表示装置１００の表示面）にある光出射穴Ｇａ１〜Ｇａ１５において、各光出射穴Ｇａ１〜Ｇａ１５から出射される光の強度が異なってしまう。導光路Ｐｂ、Ｐｃ、Ｐｄ、Ｐｅについても同様のことが言える。これでは、表示装置１００の表示面に、例えば、携帯電話機２００のメールの着信通知、時計を表示しても、明るさのムラが生じ、表示品位が損なわれてしまう。
【００３７】
そこで、本実施の形態に係る表示装置１００では、導光路群Ｐａ、Ｐｂ、Ｐｃ、Ｐｄ、Ｐｅの導光路Ｐа１〜Ｐａ１５、Ｐｂ１〜Ｐｂ１５、Ｐｃ１〜Ｐｃ１５、Ｐｄ１〜Ｐｄ１５、Ｐｅ１〜Ｐｅ１５が互いに異なる光路長を有していても、ＬＥＤチップＬａ１〜Ｌａ１５、Ｌｂ１〜Ｌｂ１５、Ｌｃ１〜Ｌｃ１５、Ｌｄ１〜Ｌｄ１５、Ｌｅ１〜Ｌｅ１５の出射面（すなわち、表示装置１００の表示面）にある光出射穴Ｇａ１〜Ｇａ１５、Ｇｂ１〜Ｇｂ１５、Ｇｃ１〜Ｇｃ１５、Ｇｄ１〜Ｇｄ１５、Ｇｅ１〜Ｇｅ１５において、すべての光出射穴から出射される光の強度を等しくなるようＬＥＤチップから出射される光の強度が制御される。以下、その制御方法について、図５を参照して説明する。図５は表示装置１００の機能ブロック図である。なお、各導光路群Ｐａ、Ｐｂ、Ｐｃ、Ｐｄ、Ｐｅにおいて同様の制御を行うため、導光路群Ｐａを例にとって説明し、導光路群Ｐｂ、Ｐｃ、Ｐｄ、Ｐｅについてはその詳細な説明を省略する。
【００３８】
ここで、各導光路Ｐа１〜Ｐａ１５において、複数のＬＥＤチップ１２０の発光面（ＬＥＤチップ実装面２４０ａ）から、各光出射穴Ｇａ１〜Ｇａ１５が設けられた、複数のＬＥＤチップ１２０の出射面（すなわち、表示装置１００の表示面）までの光路長をそれぞれＤａ１〜Ｄａ１５とすると、複数のＬＥＤチップ１２０の出射面での光の強度Ｉｎ（ｎ：１〜１５の自然数）は、各光路長Ｄａｎ（ｎ：１〜１５の自然数）に反比例する。この反比例関係を利用して、複数のＬＥＤチップ１２０の出射面（すなわち、表示装置１００の表示面）にある光出射穴１１２において、各光出射穴Ｇａ１〜Ｇａ１５から出射される光の強度を均等にする。
【００３９】
図５に示す表示装置１００は、制御部１０１と、表示装置制御部１０３と、表示パターン保存領域１０５と、ＬＥＤ駆動制御部１０７と、ＬＥＤアレイ１０９とを備える。
【００４０】
制御部１０１は、携帯電話機２００全体を制御し、表示装置制御部１０３にＬＥＤの点灯・消灯指示を出す。
【００４１】
表示装置制御部１０３は、（１）表示パターン保存領域１０５から表示パターン保存領域１０５に保存された表示パターンを読み出し、（２）表示パターン保存領域１０５から読みだした表示パターンに基づき、ＬＥＤ駆動制御部１０７にＬＥＤアレイ１０９を構成する各ＬＥＤチップ１２０の点灯・消灯の指示、各ＬＥＤチップ１２０の点灯レベルの指示を出力する。
【００４２】
表示パターン保存領域１０５は、ＬＥＤアレイ１０９で表現する表示パターンを保存する。表示パターン保存領域１０５は、表示パターンに応じた（１）ＬＥＤアレイ１０９の各ＬＥＤチップ１２０の状態（点灯・消灯）を示す情報、および（２）各ＬＥＤチップ１２０の点灯レベル・点灯時間を示す情報を保存する。
【００４３】
ここで、表示パターン保存領域１０５に保存されている各ＬＥＤチップＬａ１〜Ｌａ１５の点灯レベルは、ＬＥＤチップＬａ１〜Ｌａ１５の発光面（ＬＥＤチップ実装面２４０ａ）から、各光出射穴Ｇａ１〜Ｇａ１５が設けられた、ＬＥＤチップＬａ１〜Ｌａ１５の出射面（すなわち、表示装置１００の表示面）までの光路長Ｄａｎ（ｎ：１〜１５の自然数）に応じた明るさに補正された情報である。例えば、図４（ｂ）において、導光路Ｐа１〜Ｐａ１５で、複数のＬＥＤチップＬａ１〜Ｌａ１５から複数の光出射穴Ｇａ１〜Ｇａ１５まで導かれる光の発光強度をＩｎ（ｎ：１〜１５の自然数）とすると、各導光路Ｐа１〜Ｐａ１５の光路長と光の発光強度Ｉｎ（ｎ：１〜１５の自然数）とが反比例関係にあることから、表示装置１００の表示面での全てのＬＥＤチップの輝度をほぼ同じにするよう、表示パターン保存領域１０５に保存されている各ＬＥＤチップＬａ１〜Ｌａ１５の点灯レベルは、それぞれ補正されている。
【００４４】
つまり、導光路Ｐа１〜Ｐａ１５のうち、遮光板１１０の端部に近い導光路ほど、遮光板１１０の一面１１１に近づくにつれて、遮光板１１０の一面１１１に向かって屈曲しながら導光路が延びているので、導光路Ｐа１〜Ｐａ１５のうち遮光板１１０の端部に近い導光路により導かれるＬＥＤチップほど、その点灯レベルが強くなるように、表示パターン保存領域１０５に保存されている各ＬＥＤチップＬａ１〜Ｌａ１５の点灯レベルが補正されている。
なお、導光路群Ｐｂ、Ｐｃ、Ｐｄ、Ｐｅについても、表示装置１００の表示面での全てのＬＥＤチップの輝度をほぼ同じにするよう、表示パターン保存領域１０５に保存されている各ＬＥＤチップの点灯レベルが、それぞれ補正されている。
【００４５】
ＬＥＤ駆動制御部１０７は、表示装置制御部１０３の指示に基づき、ＬＥＤアレイ１０９の各ＬＥＤに流す電流値を制御する。
【００４６】
ＬＥＤアレイ１０９には、複数のＬＥＤチップ１２０が所定のピッチ（間隔ｔ２）で２次元的に配列されている。複数のＬＥＤチップ１２０は、ＬＥＤチップＬａ１〜Ｌａ１５、Ｌｂ１〜Ｌｂ１５、Ｌｃ１〜Ｌｃ１５、Ｌｄ１〜Ｌｄ１５、Ｌｅ１〜Ｌｅ１５で構成されている。
【００４７】
本実施の形態に係る表示装置１００では、異なる光路長を有する導光路Ｐа１〜Ｐａ１５、Ｐｂ１〜Ｐｂ１５、Ｐｃ１〜Ｐｃ１５、Ｐｄ１〜Ｐｄ１５、Ｐｅ１〜Ｐｅ１５であっても、複数のＬＥＤチップ１２０を構成するＬＥＤチップＬａ１〜Ｌａ１５、Ｌｂ１〜Ｌｂ１５、Ｌｃ１〜Ｌｃ１５、Ｌｄ１〜Ｌｄ１５、Ｌｅ１〜Ｌｅ１５の出射面（すなわち、表示装置１００の表示面）にある光出射穴１１２において、各光出射穴Ｇａ１〜Ｇａ１５、Ｇｂ１〜Ｇｂ１５、Ｇｃ１〜Ｇｃ１５、Ｇｄ１〜Ｇｄ１５、Ｇｅ１〜Ｇｅ１５から出射される光の強度を均等にすることができる。そのため、表示装置１００の表示面に、例えば、携帯電話機２００のメールの着信通知、時計を表示しても、明るさのムラが生じず、表示品位が損なわない。
【００４８】
次に、図６を参照して、表示装置１００の遮光板１１０の変形例について説明する。図６は、遮光板１１０の変形例である遮光板１１０Ａの側断面図である。なお、図６に示す座標系は、図２〜図４（ｂ）と同じ直交座標系の一部である。
【００４９】
ここで、遮光板１１０Ａが遮光板１１０と異なる点は、導光路群Ｐａ、Ｐｂ、Ｐｃ、Ｐｄ、Ｐｅが、基板２４０の厚み方向（図中、Ｚ軸方向）において、第２筐体２２３の一側面２２４と対向する基板２４０の一側面２４０ｂ付近から、ＬＥＤチップ実装面２４０ａよりも下方に向かって、携帯電話機２００の第２筐体２２３の一側面２２４と同一の出射面（遮光板１１０Ａの一面１１１Ａ）まで延びている点である。遮光板１１０Ａは、遮光板１１０と同様、導光板として機能する。
【００５０】
このように、遮光板１１０に代えて、遮光板１１０Ａを用いると、本実施の形態に係る表示装置１００では、表示装置１００自体の厚み（特に、高さ方向）の増加を避けながら強度を維持しつつ、携帯電話機２００の第２筐体２２３の一側面２２４と同一面に出射面（遮光板１１０Ａの一面１１１Ａ）を設けることができる。
【００５１】
さらには、遮光板１１０に代えて、遮光板１１０Ａを用いると、本実施の形態に係る表示装置１００では、導光路Ｐａｎ、Ｐｂｎ、Ｐｃｎ、Ｐｄｎ、Ｐｅｎ（ｎ：１〜１５の自然数）の一部を略垂直な方向に屈曲させることで、ＬＥＤチップ実装面２４０ａ（つまり、複数のＬＥＤチップ１２０の発光面）とは略垂直な方向にある遮光板１１０Ａの一面１１１Ａに複数のＬＥＤチップ１２０の出射面を設けて、携帯電話機２００の基板２４０に複数のＬＥＤチップ１２０を実装可能な間隔（たとえば、間隔ｔ２）よりも狭い間隔（たとえば、間隔ｔ１）で、ＬＥＤチップＬａ１〜Ｌａ１５、Ｌｂ１〜Ｌｂ１５、Ｌｃ１〜Ｌｃ１５、Ｌｄ１〜Ｌｄ１５、Ｌｅ１〜Ｌｅ１５の出射面に光出射穴Ｇａ１〜Ｇａ１５、Ｇｂ１〜Ｇｂ１５、Ｇｃ１〜Ｇｃ１５、Ｇｄ１〜Ｇｄ１５、Ｇｅ１〜Ｇｅ１５を配列することができる。
【００５２】
さらには、遮光板１１０に代えて、遮光板１１０Ａを用いると、本実施の形態に係る表示装置１００では、導光路Ｐа１〜Ｐａ１５、Ｐｂ１〜Ｐｂ１５、Ｐｃ１〜Ｐｃ１５、Ｐｄ１〜Ｐｄ１５、Ｐｅ１〜Ｐｅ１５の一部を略垂直な方向に屈曲させた後、基板２４０の一側面２４０ｂ付近から、ＬＥＤチップ実装面２４０ａよりも下方に向かって屈曲させて、出射面（遮光板１１０Ａの一面１１１Ａ）を携帯電話機２００の第２筐体２２３の一側面２２４と同一面に設けることができる。そのため、携帯電話機２００の第２筐体２２３自体の厚みを抑えつつ、携帯電話機の側面に表示装置１００の表示面を設けることができる。
【００５３】
なお、本実施の形態では、複数のＬＥＤチップ１２０の発光する色については、特に記述していないが、赤や青などの単色で発光するＬＥＤチップであっても良く、複数の色を発光できるＬＥＤチップでも良い。また、単色のＬＥＤと蛍光体を組み合わせることにより、任意の色を実現することが出来る。例えば、青色に発光するＬＥＤ用いて、白色を実現するためには、黄色の蛍光体と組み合わせることにより実現することが出来る。この場合、基板２４０に直接実装しているＬＥＤチップ１２０自体にではなく、各光出射穴Ｇａ１〜Ｇａ１５、Ｇｂ１〜Ｇｂ１５、Ｇｃ１〜Ｇｃ１５、Ｇｄ１〜Ｇｄ１５、Ｇｅ１〜Ｇｅ１５近傍の導光路Ｐа１〜Ｐａ１５、Ｐｂ１〜Ｐｂ１５、Ｐｃ１〜Ｐｃ１５、Ｐｄ１〜Ｐｄ１５、Ｐｅ１〜Ｐｅ１５内に黄色蛍光体を塗布することで、携帯電話機２００のメールの着信通知、時計などの情報を白色で表示することができる。
【産業上の利用可能性】
【００５４】
本発明に係る表示装置及び携帯電話機は、表示部を小型化できるという効果を有し、携帯電話機等として有用である。
【符号の説明】
【００５５】
１００            表示装置
１０１            制御部
１０３            表示装置制御部
１０５            表示パターン保存領域
１０７            ＬＥＤ駆動制御部
１０９            ＬＥＤアレイ
１１０、１１０Ａ  遮光板
１１２            光出射穴
１１３            導光路
１２０            ＬＥＤチップ
２００            携帯電話機
２２１            第１筐体
２２３            第２筐体
２２５            連結部
２４０            基板
２４０ａ          ＬＥＤチップ実装面
Ｐａ〜Ｐｅ        導光路群
Ｐａｎ〜Ｐｅｎ（ｎ＝１〜１５）  導光路
Ｄаｎ（ｎ＝１〜５）          光路長
Ｌａ〜Ｌｅ                    発光素子群
Ｌａｎ〜Ｌｅｎ（ｎ＝１〜１５）  ＬＥＤチップ
Ｇａ〜Ｇｅ                    光出射穴群
Ｇａｎ〜Ｇｅｎ（ｎ＝１〜１５）  光出射穴
【図１】
2012027276.tif 000003
【図２】
2012027276.tif 000004
【図３】
2012027276.tif 000005
【図４】
2012027276.tif 000006
【図５】
2012027276.tif 000007
【図６】
2012027276.tif 000008